(57)【要約】  【課題】  ３つ以上の記録媒体間で簡単な操作でダビングが可能な使い勝手のよい記録装置等を提供する。  【解決手段】  ダビング開始指示時に操作モードにある記録媒体ドライブ部（ＤＶＤドライブ部、ハードディスクドライブ部またはＶＨＳデッキ部）を、ダビングするデータの送り側に決定し（ＳＴ２０）、待機モードにある残りの記録媒体ドライブ部のうちで優先順位の高いものを、データを受け取る受け側に決定する（ＳＴ３０）。その後、送り側および受け側の決定をユーザに確認する（ＳＴ４０）。所定時間が経過しまたは録画ボタンが押された場合（ＳＴ５１）、決定したダビング方向でダビングを開始する（ＳＴ５３）。ダビングボタンが押された場合（ＳＴ６１）、受け側を待機モードにある記録媒体ドライブ部のうちで次に優先順位が高いものに変更する（ＳＴ６２）。そして、送り側および受け側の決定をユーザに確認する（ＳＴ４０）。【選択図】      図３
2006338703.tif 000002
【特許請求の範囲】
【請求項１】
制御部と、
前記制御部の制御下に設けられた、光ディスク、ハードディスクおよびテープの３つの
記録媒体に対応した３つの記録媒体ドライブ部と、
ユーザからの指示を取得して前記制御部へ伝達する入力部と、を備え、
前記制御部は、
前記入力部を介してダビング開始指示を取得した場合、前記３つの記録媒体ドライブ部
のうちで前記ダビング開始指示の取得時に操作モードにある記録媒体ドライブ部を、ダビ
ングするデータを送る送り側記録媒体ドライブ部に決定するとともに、前記データを受け
取る受け側記録媒体ドライブ部を、待機モードにある残りの記録媒体ドライブ部のうちか
ら、優先順位に基づいて決定し、
前記優先順位を、前記ダビング開始指示の取得時における前記記録媒体の状態に関する
項目と前記ダビング開始指示の取得前における使用状況に関する項目との少なくとも１つ
に基づいて決定し、
ダビングの開始前に、前記送り側記録媒体ドライブ部および前記受け側記録媒体ドライ
ブ部の決定についてユーザに確認を促し、
前記入力部を介して前記受け側記録媒体ドライブ部を変更する受け側変更指示を取得し
た場合、前記残りの記録媒体ドライブ部のうちでもう一方の記録媒体ドライブ部を前記受
け側記録媒体ドライブ部に決定し、
前記入力部は、
前記ダビング開始指示までは前記ダビング開始指示用として機能する一方で前記ダビン
グ開始指示後は前記受け側変更指示用として機能する単一の入力手段を含むことを特徴と
する記録装置。
【請求項２】
制御部と、
前記制御部の制御下、所定の記録媒体に対して書き込みおよび読み出しを行う少なくと
も３つの記録媒体ドライブ部と、
ユーザからの指示を取得して前記制御部へ伝達する入力部と、を備え、
前記制御部は、
前記入力部を介してダビング開始指示を取得した場合、
前記少なくとも３つの記録媒体ドライブ部のうちで前記ダビング開始指示の取得時に操
作モードにある記録媒体ドライブ部を、ダビングするデータを送る送り側記録媒体ドライ
ブ部に決定するとともに、
前記データを受け取る受け側記録媒体ドライブ部を、待機モードにある残りの記録媒体
ドライブ部のうちから、優先順位に基づいて決定することを特徴とするダビング装置。
【請求項３】
前記制御部は、前記優先順位を、前記ダビング開始指示の取得時における前記記録媒体
の状態に関する項目と前記ダビング開始指示の取得前における使用状況に関する項目との
少なくとも１つに基づいて決定することを特徴とする請求項２に記載のダビング装置。
【請求項４】
前記制御部は、前記入力部を介して前記受け側記録媒体ドライブ部を変更する受け側変
更指示を取得した場合、前記残りの記録媒体ドライブ部のうちで前記優先順位が次に高い
記録媒体ドライブ部を前記受け側記録媒体ドライブ部に決定することを特徴とする請求項
２または請求項３に記載のダビング装置。
【請求項５】
前記入力部は、前記ダビング開始指示までは前記ダビング開始指示用として機能する一
方で前記ダビング開始指示後は前記受け側変更指示用として機能する単一の入力手段を含
むことを特徴とする請求項４に記載のダビング装置。
【発明の詳細な説明】
【技術分野】
【０００１】
本発明は、記録装置およびダビング装置に関し、特に３つ以上の記録媒体を取り扱い可
能な装置において簡単な操作でダビングを実施するための技術に関する。
【背景技術】
【０００２】
近年、ＤＶＤ（Digital Versatile Disc）ドライブとＶＨＳ（Video Home System）デ
ッキとを搭載したレコーダ（以下「ＤＶＤ＋ＶＨＳレコーダ」と呼ぶ）やＤＶＤドライブ
とハードディスク（ＨＤＤ；Hard Disk Drive）とを搭載したレコーダ（以下「ＤＶＤ＋
ＨＤＤレコーダ」と呼ぶ）のみならず、上記３種類を搭載したレコーダ（以下「ＤＶＤ＋
ＨＤＤ＋ＶＨＳレコーダ」と呼ぶ）が開発されている。
【特許文献１】特開２００５−３９６４８号公報
【特許文献２】特開２００５−２０５９７号公報
【特許文献３】特開２００４−２６０４５２号公報
【発明の開示】
【発明が解決しようとする課題】
【０００３】
ＤＶＤ＋ＶＨＳレコーダやＤＶＤ＋ＨＤＤレコーダであれば、ダビング方向は２通りし
かないので、いわゆるワンタッチボタンによって簡単にダビング操作ができる。しかしな
がら、ＤＶＤ＋ＨＤＤ＋ＶＨＳレコーダの場合は、ＤＶＤとＨＤＤとの間で２方向、ＤＶ
ＤとＶＨＳとの間で２方向、ＨＤＤとＶＨＳとの間で２方向の合計６方向のダビングが可
能であるため、上述のワンタッチボタンによる操作環境とは大きく異なる。すなわち、ユ
ーザが上記６通りのダビング方向のうちの１つを選んでからダビングを開始しなければな
らず、手間がかかってしまう。
【０００４】
本発明は、かかる点にかんがみてなされたものであり、３つ以上の記録媒体間で簡単な
操作でダビングが可能な使い勝手のよい記録装置およびダビング装置を提供することを目
的とする。
【課題を解決するための手段】
【０００５】
上記目的を達成するために本発明は、記録装置において、制御部と、前記制御部の制御
下に設けられた、光ディスク、ハードディスクおよびテープの３つの記録媒体に対応した
３つの記録媒体ドライブ部と、ユーザからの指示を取得して前記制御部へ伝達する入力部
と、を備え、前記制御部は、前記入力部を介してダビング開始指示を取得した場合、前記
３つの記録媒体ドライブ部のうちで前記ダビング開始指示の取得時に操作モードにある記
録媒体ドライブ部を、ダビングするデータを送る送り側記録媒体ドライブ部に決定すると
ともに、前記データを受け取る受け側記録媒体ドライブ部を、待機モードにある残りの記
録媒体ドライブ部のうちから、優先順位に基づいて決定し、前記優先順位を、前記ダビン
グ開始指示の取得時における前記記録媒体の状態に関する項目と前記ダビング開始指示の
取得前における使用状況に関する項目との少なくとも１つに基づいて決定し、ダビングの
開始前に、前記送り側記録媒体ドライブ部および前記受け側記録媒体ドライブ部の決定に
ついてユーザに確認を促し、前記入力部を介して前記受け側記録媒体ドライブ部を変更す
る受け側変更指示を取得した場合、前記残りの記録媒体ドライブ部のうちでもう一方の記
録媒体ドライブ部を前記受け側記録媒体ドライブ部に決定し、前記入力部は、前記ダビン
グ開始指示までは前記ダビング開始指示用として機能する一方で前記ダビング開始指示後
は前記受け側変更指示用として機能する単一の入力手段を含むことを特徴とする。
【０００６】
このような構成によれば、ダビング開始指示の取得時におけるモード（操作モード／待
機モード）および優先順位に基づいて送り側記録媒体ドライブ部および受け側記録媒体ド
ライブ部が自動的に決定されるので、これら２つを多くの記録媒体ドライブ部からユーザ
が選択する場合に比べて、ユーザの手間を省くことができる。すなわち、ユーザは入力部
からダビングの開始指示を与えるだけという簡単な操作ですむ。このとき、ダビング開始
指示の取得時に操作モードにある記録媒体ドライブ部を送り側に決定するとともに受け側
を優先順位に基づいて決定するので、制御部が決定したダビング方向は、ユーザが意図し
ているダビング方向を大きく逸脱することがない。また、受け側の優先順位は、ダビング
開始指示時における記録媒体の状態に関する項目とダビング開始指示前における使用状況
に関する項目との少なくとも１つが考慮されて決定されるので、ユーザが意図しているダ
ビング方向の的中率が高くなる。また、ダビング開始前に制御部が決定した送り側および
受け側の記録媒体ドライブ部についてユーザに確認を促すので、制御部が決定したダビン
グ方向がユーザの意図しない方向であってもダビング開始前にダビング方向の変更または
ダビングの中止をすることができる。このとき、受け側記録媒体ドライブ部を変更する場
合であっても、優先順位が高い順に記録媒体ドライブ部が決定されるので、ユーザが意図
しているダビング方向を大きく逸脱することがない。さらに、単一の入力手段によってダ
ビング開始指示も受け側変更指示も入力可能なので、これらを別々の入力手段で実施する
場合と比べて、操作すべき入力手段の数が減り、操作が簡単である。すなわち、３つの記
録媒体ドライブ部を備えていても、いわゆるワンタッチボタン方式の操作を実現すること
ができる。これらの結果、ユーザにとって使い勝手のよい記録装置を提供することができ
る。
【０００７】
さらに、上記目的を達成するために本発明は、ダビング装置において、制御部と、前記
制御部の制御下、所定の記録媒体に対して書き込みおよび読み出しを行う少なくとも３つ
の記録媒体ドライブ部と、ユーザからの指示を取得して前記制御部へ伝達する入力部と、
を備え、前記制御部は、前記入力部を介してダビング開始指示を取得した場合、前記少な
くとも３つの記録媒体ドライブ部のうちで前記ダビング開始指示の取得時に操作モードに
ある記録媒体ドライブ部を、ダビングするデータを送る送り側記録媒体ドライブ部に決定
するとともに、前記データを受け取る受け側記録媒体ドライブ部を、待機モードにある残
りの記録媒体ドライブ部のうちから、優先順位に基づいて決定することを特徴とする。
【０００８】
このような構成によれば、ダビング開始指示の取得時におけるモード（操作モード／待
機モード）および優先順位に基づいて送り側記録媒体ドライブ部および受け側記録媒体ド
ライブ部が自動的に決定されるので、これら２つを多くの記録媒体ドライブ部からユーザ
が選択する場合に比べて、ユーザの手間を省くことができる。すなわち、ユーザは入力部
からダビングの開始指示を与えるだけという簡単な操作ですむ。このとき、ダビング開始
指示の取得時に操作モードにある記録媒体ドライブ部を送り側に決定するとともに受け側
を優先順位に基づいて決定するので、制御部が決定したダビング方向は、ユーザが意図し
ているダビング方向を大きく逸脱することがない。このようにして、ユーザにとって使い
勝手のよいダビング装置を提供することができる。
【０００９】
また、前記制御部は、前記優先順位を、前記ダビング開始指示の取得時における前記記
録媒体の状態に関する項目と前記ダビング開始指示の取得前における使用状況に関する項
目との少なくとも１つに基づいて決定することが好ましい。
【００１０】
このような構成によれば、受け側の優先順位は、ダビング開始指示時における記録媒体
の状態に関する項目とダビング開始指示前における使用状況に関する項目との少なくとも
１つが考慮されて決定されるので、ユーザが意図しているダビング方向の的中率が高くな
る。これにより、使い勝手がさらに良くなる。
【００１１】
また、前記制御部は、前記入力部を介して前記受け側記録媒体ドライブ部を変更する受
け側変更指示を取得した場合、前記残りの記録媒体ドライブ部のうちで前記優先順位が次
に高い記録媒体ドライブ部を前記受け側記録媒体ドライブ部に決定することが好ましい。
【００１２】
このような構成によれば、受け側記録媒体ドライブ部を変更する場合であっても、優先
順位が高い順に記録媒体ドライブ部が決定されるので、ユーザが意図しているダビング方
向を大きく逸脱することがない。したがって、ユーザにとって使い勝手のよいダビング装
置を提供することができる。
【００１３】
また、前記入力部は、前記ダビング開始指示までは前記ダビング開始指示用として機能
する一方で前記ダビング開始指示後は前記受け側変更指示用として機能する単一の入力手
段を含むことが好ましい。
【００１４】
このような構成によれば、単一の入力手段によってダビング開始指示も受け側変更指示
も入力可能なので、これらを別々の入力手段で実施する場合と比べて、操作すべき入力手
段の数が減り、操作が簡単である。すなわち、３つ以上の記録媒体ドライブ部を備えてい
ても、いわゆるワンタッチボタン方式の操作環境を実現することができる。したがって、
ユーザにとって使い勝手のよいダビング装置を提供することができる。
【００１５】
なお、上記特許文献１〜３のいずれも、３つ以上の記録媒体ドライブ部を備え、送り側
記録媒体ドライブ部および受け側記録媒体ドライブ部の双方を自動的に決定する装置を開
示するものではない。
【発明の効果】
【００１６】
本発明によれば、３つ以上の記録媒体間で簡単な操作でダビングが可能な使い勝手のよ
い記録装置およびダビング装置を提供することができる。
【発明を実施するための最良の形態】
【００１７】
図１に本発明の実施形態に係る記録装置（ダビング装置）１を説明するためのブロック
図を示す。記録装置１は、いわゆるＤＶＤ＋ＨＤＤ＋ＶＨＳレコーダに相当する。図１に
示すように、記録装置１は外観上、装置本体２とリモートコントロール装置（以下「リモ
コン」とも呼ぶ）５１という２つの個体として捉えられる。
【００１８】
なお、図１には説明のためにＤＶＤ（光ディスク）２００およびビデオテープ４００を
図示しているが、ここではＤＶＤ２００は書き込み可能な各種のタイプのもとし、ビデオ
テープ４００はＶＨＳタイプとする。また、図１には説明のために外部接続された表示装
置６９も図示している。表示装置６９として、ＣＲＴ（Cathode-ray Tube）ディスプレイ
、液晶パネルディスプレイ、プラズマディスプレイ等の種々のタイプの表示装置が適用可
能である。
【００１９】
図１に示すように、記録装置１は、制御部１０と、ＤＶＤドライブ部２０と、ハードデ
ィスク（ＨＤＤ）部３０と、ＶＨＳデッキ部４０と、リモコン５１と、リモコン受光部５
２と、装置本体２に設けられた操作スイッチ（または操作ボタン）５３と、前面パネル制
御部５４と、前面パネル表示部６１と、出力信号生成部６２と、を含んでいる。なお、前
面パネル制御部５４との区別のため、制御部１０を「メイン制御部１０」とも呼ぶことに
する。
【００２０】
図１に示すように、メイン制御部１０は、ＣＰＵ（Central Processing Unit）１１と
、メモリ１２と、タイマ（またはカウンタ）１３とを含んで構成される。なお、メモリ１
２は、メイン制御部１０による各種制御についてのプログラムやデータが格納されている
ＲＯＭ（Read Only Memory）および不揮発性メモリや、ＣＰＵ１１がワークエリアとして
利用するＲＡＭ（Random Access Memory）等を総称するものとする。ＣＰＵ１１がメモリ
１２内のプログラムを実行することによって、メイン制御部１０による各種制御が具現化
される。タイマ１３は、ＣＰＵ１１によってセットおよびリセットされ、例えば設定時間
の経過をＣＰＵ１１へ通知するように構成されている。
【００２１】
ＤＶＤドライブ部２０は、ＤＶＤ２００に対して書き込み動作（または記録動作）およ
び読み出し動作を実施可能に構成されており、例えば光ヘッドや当該光ヘッドのための制
御回路および機械的機構等を含んでいる。
【００２２】
ハードディスク部３０は、映像等の大容量データを記録可能であるとともに、メイン制
御部１０が補助記憶装置としても利用可能なものである。ハードディスク部３０は一般的
に「ＨＤＤ」と呼ばれる装置によって構成可能であるが、当該装置は、記録媒体としての
ハードディスク３００と記録媒体ドライブ部としてのハードディスクドライブ部３１とを
含んで構成される１つの個体として流通している。ハードディスクドライブ部３１は、ハ
ードディスク３００に対して書き込み動作（または記録動作）および読み出し動作を実施
可能に構成されており、例えば磁気ヘッドや当該磁気ヘッドのための制御回路および機械
的機構等を含んでいる。
【００２３】
ＶＨＳデッキ部４０は、ビデオテープ４００に対して書き込み動作（または記録動作）
および読み出し動作を実施可能に構成されており、例えば磁気ヘッドや当該磁気ヘッドの
ための制御回路および機械的機構等を含んでいる。なお、アナログ方式のビデオテープ４
００を扱うＶＨＳデッキ部４０は、アナログ信号とデジタル信号との相互変換を行う変換
器４１を含めた構成とする。この変換器４１によって、ビデオテープ４００の記録内容を
メイン制御部１０等で取り扱い可能なデジタル信号に変換することができるし、逆にデジ
タル信号をアナログ信号に変換してビデオテープ４００へ記録することができる。
【００２４】
ＤＶＤドライブ部２０、ハードディスク部３０およびＶＨＳデッキ部４０はメイン制御
部１０によって動作が制御される。なお、メイン制御部１０の制御下、ＤＶＤドライブ部
２０、ハードディスク部３０およびＶＨＳデッキ部４０は相互にデータ転送可能に設けら
れている。
【００２５】
ところで、ハードディスク部３０を構成するハードディスク３００は「記録媒体」とい
う点でＤＶＤ２００およびビデオテープ４００と共通する。このため、ＤＶＤ２００、ハ
ードディスク３００およびビデオテープ４００をそれぞれの符号を用いて「記録媒体２０
０」、「記録媒体３００」および「記録媒体４００」のようにも呼ぶことにする。同様に
、ＤＶＤドライブ部２０、ハードディスクドライブ部３１およびＶＨＳデッキ部４０は「
記録媒体ドライブ部」という点で共通するので、それぞれの符号を用いて「記録媒体ドラ
イブ部２０」、「記録媒体ドライブ部３１」および「記録媒体ドライブ部４０」のように
も呼ぶことにする。なお、「記録媒体ドライブ部」を単に「ドライブ部」とも呼ぶことに
する。
【００２６】
リモコン５１および装置本体２に設けられた操作スイッチ５３はユーザからの各種指示
を取得するための手段である。リモコン５１からの信号はリモコン受光部５２を介して前
面パネル制御部５４へ伝達される。前面パネル制御部５４は、リモコン受光部５２および
操作スイッチ５３からの信号をその内容に応じたコマンド信号に変換してメイン制御部１
０へ出力する。このとき、記録装置１において、リモコン５１と、リモコン受光部５２と
、操作スイッチ５３と、前面パネル制御部５４とから成る構成を「入力部５０」と呼ぶと
き、当該入力部５０によってユーザからの指示が記録装置１内に取得されメイン制御部１
０へ伝達される。
【００２７】
ここで、図２にリモコン５１を説明するための外観図を示す。図２に示すように、リモ
コン５１には、電源ボタン５１０、再生ボタン５１３、ストップボタン５１４、巻き戻し
ボタン５１５、早送りボタン５１６、録画ボタン５１７、一時停止ボタン５１８およびテ
ンキー５１９が設けられており、さらにモード切り替えボタン５１１およびダビングボタ
ン（入力手段）５１２が設けられている。
【００２８】
モード切り替えボタン５１１はＤＶＤドライブ部２０、ハードディスク部３０およびＶ
ＨＳデッキ部４０のいずれを操作するかを切り替えるものであり、例えば“ＤＶＤ”と書
かれたボタンを押すと、“ＤＶＤ操作モード”に切り替わり、リモコン５１はＤＶＤドラ
イブ部２０の操作用として機能する。すなわち、上述の再生ボタン５１３等によってＤＶ
Ｄドライブ部２０を操作することができる。このとき、ハードディスク部３０およびＶＨ
Ｓデッキ部４０は“待機モード”になる。ダビングボタン５１２はダビング時に利用する
ものであり、後述する。
【００２９】
図１に戻り、前面パネル制御部５４は、メイン制御部１０の制御下、種々の制御を行う
。例えば、前面パネル制御部５４は、記録装置１の動作状況、操作や設定についてのガイ
ドメニュー、時刻等を前面パネル表示部６１において表示するために、当該表示部６１の
表示制御を行う。
【００３０】
そして、メイン制御部１０は、ＤＶＤ２００、ハードディスク部３０（内のハードディ
スク３００）、ＶＨＳビデオテープ４００から取得したデータ等に基づいて、出力信号生
成部６２を制御する。出力信号生成部６２は、メイン制御部１０の制御下、表示装置６９
に適した出力信号（映像信号および音声信号）を生成し、当該装置６９へ出力する。例え
ば当該表示装置６９がアナログ方式の場合、出力信号生成部６２は、メイン制御部１０か
らのデジタルデータを複合化してデジタル信号を生成し更にそのデジタル信号をアナログ
信号に変換して出力信号を生成し、出力する。
【００３１】
また、出力信号生成部６２は、メイン制御部１０の制御下、上記出力信号として、上述
の動作状況やガイドメニュー等を表示装置６９においてＯＳＤ（オンスクリーンディスプ
レイ）表示や音声出力するための信号を生成し、出力する。
【００３２】
なお、説明を簡単にするため、チューナや外部入力端子等については図示および説明を
省略する。
【００３３】
このような構成の記録装置１によれば、ＤＶＤ２００、ハードディスク３００およびＶ
ＨＳビデオテープ４００という３つの記録媒体を取り扱い可能であり、これらのうち２つ
の記録媒体間でのダビングが可能である。記録装置１におけるダビング動作、換言すれば
記録装置１のダビング装置としての側面を、図１および図２に加え、当該ダビング動作Ｓ
Ｔを説明するためのフローチャートである図３を参照しつつ説明する。
【００３４】
まず、ユーザがダビングを開始するためにダビングボタン５１２を押すと、メイン制御
部１０は入力部５０を介してダビング開始指示を取得する（ステップＳＴ１０）。そして
、メイン制御部１０は、当該ダビング開始指示を取得した時点において操作モードにある
記録媒体ドライブ部２０，３１または４０を、ダビングするデータを送る送り側記録媒体
ドライブ部に決定する（ステップＳＴ２０）。なお、ダビングボタン５１２を押す前にモ
ード切り替えボタン５１１を操作しておけば、ユーザの所望の記録媒体ドライブ部２０，
３１，４０を送り側記録媒体ドライブ部に設定することができる。さらに、メイン制御部
１０は、上記ダビング開始指示を取得した時点で待機モードにある残りの２つの記録媒体
ドライブ部２０，３１または４０のうちで優先順位の高い方を、上記データを受け取る受
け側記録媒体ドライブ部に決定する（ステップＳＴ３０）。優先順位については後述する
。なお、ステップＳＴ２０，ＳＴ３０はいずれを先に実行しても構わない。
【００３５】
ここで、「送り側記録媒体ドライブ部」および「受け側記録媒体ドライブ部」を単に「
送り側」および「受け側」とも呼ぶことにする。
【００３６】
その後、メイン制御部１０は、例えば図４に例示する画面表示を表示装置６９または前
面パネル表示部６１において表示することによって、送り側および受け側の決定すなわち
ダビング方向の決定についてユーザに確認を促す（ステップＳＴ４０）。なお、このとき
音声等を併用しても構わない。
【００３７】
図４では、メイン制御部１０がハードディスクドライブ部３１を送り側に決定しＤＶＤ
ドライブ部２０を受け側に決定した場合を例示しており、このダビング方向でダビングを
開始して良い場合には所定時間の経過を待つか録画ボタン５１７を押すようユーザに促し
、受け側をＶＨＳデッキ部４０に変更する場合にはダビングボタン５１２を押すようユー
ザに促し、さらにダビングを中止する場合にはストップボタン５１４を押すようユーザに
促している。なお、上記所定時間の計測はメイン制御部１０がタイマ１３を利用して行う
。
【００３８】
そして、所定時間が経過しまたは録画ボタン５１７が押された場合（ステップＳＴ５１
）、メイン制御部１０は、タイマ１３または入力部５０からその旨を取得し、後述のポイ
ントの初期値を更新した後（ステップＳＴ５２）、送り側および受け側のドライブ部を制
御することによって、決定したダビング方向でデータのダビングを開始する（ステップＳ
Ｔ５３）。
【００３９】
他方、ユーザが受け側を変更する指示としてダビングボタン５１２を押した場合（ステ
ップＳＴ６１）、メイン制御部１０は、当該変更指示を入力部５０を介して取得し、待機
モードにある記録媒体ドライブ部のうちで次に優先順位が高いもの（ここでは待機モード
にある記録媒体ドライブ部は２つなので、そのうちのもう一方）を受け側に決定する（ス
テップＳＴ６２）。そして、メイン制御部１０は、上記ステップＳＴ５２へ移行し、ステ
ップＳＴ５３においてダビングを開始する。なお、図３中に破線矢印で示すように、受け
側変更後に上記ステップＳＴ４０へ移行して、送り側および受け側の決定についてユーザ
に確認を促すようにしても構わない。
【００４０】
このとき、単一のダビングボタン５１２を、ダビング開始指示まではダビング開始指示
用ボタンとして機能させ（ステップＳＴ１０参照）、ダビング開始指示の後は受け側変更
指示用ボタンとして機能させている（ステップＳＴ６１参照）。このような機能の切り替
えはリモコン５１、前面パネル制御部５４またはメイン制御部１０における信号処理等に
よって実施可能である。
【００４１】
なお、ユーザがダビングを中止する指示としてストップボタン５１４を押した場合（ス
テップＳＴ７１）、メイン制御部１０はダビングを中止する（ステップＳＴ７２）。
【００４２】
次に、上述の優先順位およびポイントを図５、図６および図７のフローチャートを参照
しつつ説明する。図５、図６および図７は上述の受け側決定ステップＳＴ３０をより具体
的に説明するためのフローチャートであり、図５は送り側をハードディスクドライブ部３
１に決定した場合の動作フローＳＴＨを、図６は送り側をＤＶＤドライブ部２０に決定し
た場合の動作フローＳＴＤを、図７は送り側をＶＨＳデッキ部４０に決定した場合の動作
フローＳＴＶを示している。
【００４３】
まず、図５の動作フローＳＴＨに示すように、上記ステップＳＴ２０において送り側を
ハードディスクドライブ部３１に決定した場合（ステップＳＴ２０Ｈ）、メイン制御部１
０は上記ステップＳＴ３０としてステップＳＴ３０Ｈを実行し、優先順位に基づいて受け
側を決定する。なお、ステップＳＴ３０ＨはステップＳＴ３１Ｈ〜ＳＴ３６Ｈから成る。
【００４４】
まず、メイン制御部１０は、ＤＶＤドライブ部２０に記録可能なＤＶＤ２００がセッテ
ィングされているか、および、ＶＨＳデッキ部４０に記録可能なビデオテープ４００がセ
ッティングされているかをチェックする（ステップＳＴ３１Ｈ）。そして、メイン制御部
１０は、記録可能なＤＶＤ２００のみがセッティングされている場合にはＤＶＤドライブ
部２０の方が優先順位が高いと判定して受け側に決定し（ステップＳＴ３２Ｈ）、記録可
能なビデオテープ４００のみがセッティングされている場合にはＶＨＳデッキ部４０の方
が優先順位が高いと判定して受け側に決定する（ステップＳＴ３３Ｈ）。なお、ステップ
ＳＴ３２Ｈ，ＳＴ３３Ｈの後は既述のステップＳＴ４０へ移行する。
【００４５】
すなわち、メイン制御部１０は、待機モードにあるＤＶＤドライブ部２０およびＶＨＳ
デッキ部４０について、ダビング開始指示の取得時における記録媒体２００，４００の状
態に関する項目（ここでは、記録媒体ドライブ部２０，４０にセッティングされているか
という項目および記録可能であるかという項目）に基づいて優先順位を付け、優先順位が
高いと判定された記録媒体ドライブ部２０または４０を受け側に決定する。
【００４６】
ここで、ダビングをする場合には受け側に記録可能な記録媒体をセッティングするまた
はセッティングされていることを確認するというユーザのごく自然な行為にかんがみれば
、このような優先順位付けは実用的であると言える。
【００４７】
一方、ＤＶＤドライブ部２０およびＶＨＳデッキ部４０のいずれにも記録可能な記録媒
体２００，４００がセッティングされている場合、メイン制御部１０は優先順位に関して
ポイント比較を行う（ステップＳＴ３４Ｈ〜ＳＴ３６Ｈ）。具体的には、ＤＶＤドライブ
部２０およびＶＨＳデッキ部４０についてポイントを設け、種々の項目に対してポイント
付けをし、ポイントの高い方が優先順位が高いと位置づける。
【００４８】
例えば、ＤＶＤドライブ部２０およびＶＨＳデッキ部４０について、初期値として５１
ポイントおよび４９ポイントを設定する。なお、両記録媒体ドライブ部２０，４０のポイ
ントは同じ値にならないようにし、また、ポイントの上限は１００ポイントとする。なお
、初期値はユーザが設定できるようにしてもよい。
【００４９】
そして、ダビング開始指示時における記録媒体２００，４００の状態に関して、いずれ
か一方がブランクの記録媒体である場合には、そのブランクの記録媒体２００または４０
０用の記録媒体ドライブ部２０または４０に２０ポイントを加算する（ステップＳＴ３４
Ｈ）。さらに、ダビング開始指示前における使用状況に関して、ダビングボタン５１２を
押す直前（例えば直前の１５分間）に記録媒体２００，４００が入れられた記録媒体ドラ
イブ部２０，４０に１５ポイントを加算する（ステップＳＴ３５Ｈ）。このとき、上記ス
テップＳＴ３４Ｈ，ＳＴ３５Ｈにおいて、いずれの記録媒体ドライブ部２０，４０にも該
当する場合および該当しない場合にはポイント加算は行わないものとする。なお、ステッ
プＳＴ３４Ｈ，ＳＴ３５Ｈはいずれを先に実行しても構わない。そして、ポイントを比較
することにより、ポイントが高い方を、優先順位が高いと位置づけ、受け側に決定する（
ステップＳＴ３６Ｈ）。その後、既述のステップＳＴ４０へ移行する。
【００５０】
ここで、ダビングをする場合にはユーザはブランクの記録媒体を準備する可能性が高い
であろうという観点およびダビング直前に記録媒体をセッティングする可能性が高いであ
ろうという観点にかんがみれば、このような項目による優先順位のポイント付けは実用的
であると言える。
【００５１】
そして、上記ステップＳＴ３６Ｈのポイント比較によって受け側を決定した場合、ダビ
ングを開始する前に、すなわち図３のステップＳＴ４０，ＳＴ５１を経てまたはステップ
ＳＴ４０，ＳＴ６１，ＳＴ６２，ＳＴ５１を経て最終的に受け側が決定した後に、ポイン
トの初期値を更新する（図３のステップＳＴ５２参照）。具体的には、ポイントを一旦初
期値に戻し、受け側に決定した記録媒体ドライブ部２０または４０の初期値に５ポイント
を加算して新たな初期値に設定し、受け側に決定されなかった記録媒体ドライブ部４０ま
たは２０の初期値から５ポイントを減算して新たな初期値に設定する。なお、ポイントの
初期値はメモリ１２の不揮発性メモリやハードディスク部３０に格納される。
【００５２】
このような初期値の更新によって、ダビング開始指示前の使用状況が当該初期値に反映
されていくので、受け側として使用される頻度が高い記録媒体ドライブ部ほど当該初期値
が高くなり、その結果、よく使うダビング方向がメイン制御部１０によって選択されやす
くなる。しかも、ダビング開始直前にポイント初期値を更新するので、ユーザによる受け
側変更指示（ステップＳＴ６１，ＳＴ６２）があっても、使用状況を正確に初期値に反映
させることができ、実用的な手法と言える。
【００５３】
ここで、より具体的な第１例を挙げる。ＶＨＳデッキ部４０に一度以上記録済のビデオ
テープ４００をセッティングされている状態で、ＤＶＤドライブ部２０にブランクのＤＶ
Ｄ２００がセッティングされた場合、ステップＳＴ３４ＨにおいてＤＶＤドライブ部２０
に２０ポイントが加算される。そして、１０分ほどしてからダビングボタン５１２を押し
た場合、ステップＳＴ３５ＨにおいてＤＶＤドライブ部２０に１５ポイントが加算される
。この結果、ＤＶＤドライブ部２０は８６ポイント、ＶＨＳデッキ部４０は４９ポイント
となり、ステップＳＴ３６ＨにおいてＤＶＤドライブ部２０が受け側に決定される。
【００５４】
さらに、より具体的な第２例を挙げる。ＤＶＤドライブ部２０およびＶＨＳデッキ部４
０のいずれにもブランクでない記録媒体２００，４００がセッティングされている場合、
ステップＳＴ３４Ｈにおいて両記録媒体ドライブ部２０，４０ともポイント加算はされな
い。このとき、ＤＶＤ２００は３０分前にセッティングされ、ビデオテープ４００は５分
前にセッティングされた場合、ステップＳＴ３５ＨにおいてＶＨＳデッキ部４０に１５ポ
イントが加算される。この結果、ＤＶＤドライブ部２０は５１ポイント、ＶＨＳデッキ部
４０は６４ポイントとなり、ステップＳＴ３６ＨにおいてＶＨＳデッキ部４０が受け側に
決定される。これに対して、ＤＶＤ２００およびビデオテープ４００がほぼ同時刻に入れ
られた場合、ステップＳＴ３５Ｈにおいて両記録媒体ドライブ部２０，４０ともポイント
加算されず、両記録媒体ドライブ部２０，４０とも初期値のままステップＳＴ３６Ｈへ移
行し、ＤＶＤドライブ部２０が受け側に決定される。
【００５５】
なお、第１例および第２例において、図３のステップＳＴ４０，ＳＴ５１を経てまたは
ステップＳＴ４０，ＳＴ６１，ＳＴ６２，ＳＴ５１を経て最終的にＤＶＤドライブ部２０
が受け側に決定した場合、ステップＳＴ５２において、ＤＶＤドライブ部２０のポイント
の初期値は５ポイント加算されて５６ポイントに更新され、ＶＨＳデッキ部４０のポイン
トの初期値は５ポイント減算されて４４ポイントに更新される。逆に、最終的にＶＨＳデ
ッキ部４０が受け側に決定した場合、ステップＳＴ５２において、ＤＶＤドライブ部２０
のポイントの初期値は５ポイント減算されて４６ポイントに更新され、ＶＨＳデッキ部４
０のポイントの初期値は５ポイント加算されて５４ポイントに更新される。
【００５６】
次に、図６の動作フローＳＴＤに示すように、上記ステップＳＴ２０（図３参照）にお
いて送り側をＤＶＤドライブ部２０に決定した場合（ステップＳＴ２０Ｄ）、メイン制御
部１０は上記ステップＳＴ３０（図３参照）としてステップＳＴ３０Ｄを実行し、優先順
位に基づいて受け側を決定する。なお、ステップＳＴ３０ＤはステップＳＴ３１Ｄ〜ＳＴ
３３Ｄから成る。
【００５７】
まず、メイン制御部１０は、ＶＨＳデッキ部４０に記録可能なビデオテープ４００がセ
ッティングされているかをチェックする（ステップＳＴ３１Ｄ）。そして、記録可能なビ
デオテープ４００がセッティングされている場合にはＶＨＳデッキ部４０の方が優先順位
が高いと判定して受け側に決定し（ステップＳＴ３２Ｄ）、そうでない場合にはハードデ
ィスクドライブ部３１（すなわちハードディスク部３０）の方が優先順位が高いと判定し
て受け側に決定する（ステップＳＴ３３Ｄ）。その後は既述のステップＳＴ４０へ移行す
る。
【００５８】
すなわち、ハードディスク部３０には記録可能なハードディスク３００が組み込まれて
いる点にかんがみれば、ステップＳＴ３０Ｄでは、ダビング開始指示の取得時における記
録媒体３００，４００の状態に関する項目（ここでは、記録媒体ドライブ部３１，４０に
対してセッティングされているかという項目および記録可能であるかという項目）に基づ
いて優先順位を付け、優先順位が高いと判定された記録媒体ドライブ部３１または４０を
受け側に決定することになる。
【００５９】
ここで、ハードディスク部３０には記録可能なハードディスク３００が組み込まれてい
る点にかんがみれば、ＶＨＳデッキ部４０に記録可能なビデオテープ４００がセッティン
グされているという状態は、ユーザがビデオテープ４００にダビングしたいと考えている
ことを推測させうる。このため、このような優先順位付けは実用的であると言える。
【００６０】
次に、図７の動作フローＳＴＶに示すように、上記ステップＳＴ２０（図３参照）にお
いて送り側をＶＨＳデッキ部４０に決定した場合（ステップＳＴ２０Ｖ）、メイン制御部
１０は上記ステップＳＴ３０（図３参照）としてステップＳＴ３０Ｖを実行し、優先順位
に基づいて受け側を決定する。なお、ステップＳＴ３０ＶはステップＳＴ３１Ｖ〜ＳＴ３
３Ｖから成る。
【００６１】
まず、メイン制御部１０は、ＤＶＤドライブ部２０に記録可能なＤＶＤ２００がセッテ
ィングされているかをチェックする（ステップＳＴ３１Ｖ）。そして、記録可能なＤＶＤ
２００がセッティングされている場合にはＤＶＤドライブ部２０の方が優先順位が高いと
判定して受け側に決定し（ステップＳＴ３２Ｖ）、そうでない場合にはハードディスクド
ライブ部３１（すなわちハードディスク部３０）の方が優先順位が高いと判定して受け側
に決定する（ステップＳＴ３３Ｖ）。その後は既述のステップＳＴ４０へ移行する。
【００６２】
すなわち、ハードディスク部３０には記録可能なハードディスク３００が組み込まれて
いる点にかんがみれば、ステップＳＴ３０Ｖでは、ダビング開始指示の取得時における記
録媒体２００，３００の状態に関する項目（ここでは、記録媒体ドライブ部２０，３１に
対してセッティングされているかという項目および記録可能であるかという項目）に基づ
いて優先順位を付け、優先順位が高いと判定された記録媒体ドライブ部２０または３１を
受け側に決定することになる。
【００６３】
ここで、ハードディスク部３０には記録可能なハードディスク３００が組み込まれてい
る点にかんがみれば、ＤＶＤドライブ部２０に記録可能なＤＶＤ２００がセッティングさ
れているという状態は、ユーザがＤＶＤ２００にダビングしたいと考えていることを推測
させうる。このため、このような優先順位付けは実用的であると言える。
【００６４】
このような記録装置１によれば、上述のようにダビング開始指示の取得時におけるモー
ド（操作モード／待機モード）および優先順位に基づいて送り側および受け側が自動的に
決定されるので（ステップＳＴ２０Ｈ，ＳＴ３０Ｈ等参照）、これら２つを３つの記録媒
体ドライブ部２０，３１，４０からユーザが選択する場合に比べて、ユーザの手間を省く
ことができる。すなわち、ユーザは入力部５０のダビングボタン５１２を押してダビング
の開始指示を与えるだけという簡単な操作ですむ（ステップＳＴ１０参照）。このとき、
ダビング開始指示の時点に操作モードにある記録媒体ドライブ部２０，３１または４０を
送り側に決定するとともに受け側を優先順位に基づいて決定するので、メイン制御部１０
が決定したダビング方向は、ユーザが意図しているダビング方向を大きく逸脱することが
ない。
【００６５】
また、受け側の優先順位は、ダビング開始指示時における記録媒体２００，３００，４
００の状態に関する項目（上述の例では記録媒体２００，３００，４００が、セッティン
グされているかという項目や、記録可能であるかという項目、ブランクであるかという項
目）と、ダビング開始指示前における使用状況に関する項目（上述の例では、記録媒体２
００，４００が直前にセッティングされた記録媒体ドライブ部２０，４０はいずれかとい
う項目や、過去の使用状況が反映された優先順位ポイントの初期値）との少なくとも１つ
が考慮されて決定されるので（フローＳＴＨ，ＳＴＤ，ＳＴＶ参照）、ユーザが意図して
いるダビング方向の的中率は高いと言える。なお、上記項目は上述の例に限られるもので
はない。
【００６６】
また、ダビング開始前に、メイン制御部１０が決定したダビング方向の是非をユーザが
確認するように構成されているので（ステップＳＴ４０参照）、メイン制御部１０が決定
したダビング方向がユーザの意図しない方向であってもダビング開始前にダビング方向の
変更またはダビングの中止をすることができる（ステップＳＴＳＴ６２，ＳＴ７２参照）
。このとき、受け側を変更する場合であっても、優先順位が高い順に記録媒体ドライブ部
２０，３１または４０が決定（変更）されるので（ステップＳＴ６２参照）、ユーザが意
図しているダビング方向を大きく逸脱することがない。さらに、単一の入力手段であるダ
ビングボタン５１２によってダビング開始指示も受け側変更指示も入力可能なので（ステ
ップＳＴ１０，ＳＴ６１参照）、これらを別々のボタンで実施する場合と比べて、操作す
べきボタンの数が減り、操作が簡単である。すなわち、３つの記録媒体ドライブ部２０，
３１，４０を備えた記録装置１においても、いわゆるワンタッチボタン方式の操作を実現
することができる。
【００６７】
これらの結果、記録装置１によれば、記録装置としてまたダビング装置として、ユーザ
にとって使い勝手のよい操作環境を提供することができる。
【００６８】
なお、ステップＳＴ５１，ＳＴ６１，ＳＴ７１で挙げた録画ボタン５１７、ダビングボ
タン５１２およびストップボタン５１４は一例であり、その他のボタンを利用するように
しても構わない。さらに、リモコン５１のモード切り替えボタン５１１およびダビングボ
タン５１２の一部または全部を操作スイッチ５３として装置本体２に設けても構わないし
、装置本体２およびリモコン５１の双方に設けても構わない。
【００６９】
また、ＶＨＳデッキ部４０に替えて、ＶＨＳビデオテープ以外のテープ状記録媒体のた
めのドライブ部を設けても構わない。このとき、そのテープ状記録媒体がデジタル方式に
よるものであれば、変換器４１を設ける必要はなくなる。
【００７０】
また、記録装置１を、音声・音楽データを主として扱う記録装置、例えばＣＤ−Ｒ（Co
mpact Disk Recordable）用ドライブ部と、ＭＤ（Mini Disc）用ドライブ部と、カセット
テープ用デッキとを備えた記録装置に応用することも可能である。
【００７１】
さらに、記録装置１で例示したＤＶＤドライブ部２０、ハードディスクドライブ部３１
およびＶＨＳデッキ部４０の他に、半導体メモリカード用のドライブ部やブルーレイディ
スク等の光ディスク用のドライブ部等の利用が考えられ、４つ以上の記録媒体ドライブ部
を備えた記録装置についても上述の記録装置１を応用することができる（上述の音声・音
楽データを主として扱う記録媒体用のドライブ部を利用する場合も含む）。このとき、４
つ以上の記録媒体ドライブ部の場合、受け側変更指示ステップＳＴ６１（図３参照）にお
いてダビングボタン５１２が押されるごとに、ステップＳＴ６２では受け側の候補として
優先順位に基づいて、すなわち優先順位の高い方から順に記録媒体ドライブ部をあげてい
く。
【００７２】
また、３つ以上の記録媒体ドライブ部について同じ種類の記録媒体ドライブ部を複数台
設けて記録装置を構成してもよい。
【図面の簡単な説明】
【００７３】
【図１】は、実施形態に係る記録装置を説明するためのブロック図である。
【図２】は、実施形態に係る記録装置のリモコンを説明するための外観図である。
【図３】は、実施形態に係る記録装置のダビング動作を説明するためのフローチャートである。
【図４】は、実施形態に係る記録装置のダビング動作を説明するための画面表示例である。
【図５】は、実施形態に係る記録装置のダビング動作を説明するためのフローチャートである。
【図６】は、実施形態に係る記録装置のダビング動作を説明するためのフローチャートである。
【図７】は、実施形態に係る記録装置のダビング動作を説明するためのフローチャートである。
【符号の説明】
【００７４】
１    記録装置（記録装置、ダビング装置）
１０    制御部
２０    ＤＶＤドライブ部（記録媒体ドライブ部）
３１    ハードディスクドライブ部（記録媒体ドライブ部）
４０    ＶＨＳデッキ部（記録媒体ドライブ部）
５０    入力部
５１２    ダビングボタン（入力手段）
２００    ＤＶＤ（光ディスク、記録媒体）
３００    ハードディスク（記録媒体）
４００    ＶＨＳビデオテープ（テープ、記録媒体）
ＳＴ    ダビング動作
ＳＴ１０〜ＳＴ４０，ＳＴ６１，ＳＴ６２    ステップ
ＳＴＨ，ＳＴＤ，ＳＴＶ    動作フロー
【図１】
2006338703.tif 000003
【図２】
2006338703.tif 000004
【図３】
2006338703.tif 000005
【図４】
2006338703.tif 000006
【図５】
2006338703.tif 000007
【図６】
2006338703.tif 000008
【図７】
2006338703.tif 000009